(57)【要約】【課題】装置内に設けられたマッチトフィルタの利用効率を向上させること。【解決手段】Ａ／Ｄ部１０６は、受信アンテナ１０２を介して受信され無線部１０４でダウンコンバートされたＤＰＣＨ＃１、＃２の信号をＡ／Ｄ変換する。ＭＦ制御部１１６は、ＤＰＣＨ＃１、＃２の信号の各最大シンボルレートに基づいて、ＭＦ１２２−１、１２２−２をどの信号に割り当てるかを示す割り当て情報を生成する。遅延プロファイル作成部１０８は、割り当て情報に基づいて、ＭＦ１２２−１、１２２−２の少なくともいずれか一方を用いて、ＤＰＣＨ＃１、＃２の信号の遅延プロファイルを作成する。パスサーチ部１１０は、作成された遅延プロファイルに基づいて、ＤＰＣＨ＃１、＃２の信号に対してパスサーチを行う。【選択図】      図１
2005006117.tif 000002
【特許請求の範囲】
【請求項１】
所定の最大値を有する可変のシンボルレートで伝送される信号を受信する受信手段と、
受信信号の遅延プロファイルを作成するために受信信号に割り当てられる複数のマッチトフィルタと、
前記シンボルレートの前記所定の最大値に基づいて、受信信号に割り当てられるマッチトフィルタの個数を調整する調整手段と、
調整後の個数のマッチトフィルタを用いて、受信信号の遅延プロファイルを作成する作成手段と、
作成された遅延プロファイルに基づいて、受信信号のパスを検出する検出手段と、
パス検出の結果に基づいて、受信信号を復調する復調手段と、
を有することを特徴とする受信装置。
【請求項２】
受信信号は所定数のサンプルを含む複数のサンプル信号を有し、
前記調整手段は、
前記複数のマッチトフィルタの一のマッチトフィルタ、および、前記所定の最大値が所定の閾値以上のときに未使用状態になる他のマッチトフィルタが、受信信号における複数のサンプル信号の一のサンプル信号および他のサンプル信号にそれぞれ割り当てられるように、個数の調整を行い、
前記作成手段は、
前記一のマッチトフィルタを用いて前記一のサンプル信号の遅延プロファイルを作成するとともに、前記他のマッチトフィルタを用いて前記他のサンプル信号の遅延プロファイルを作成し、当該作成された遅延プロファイルを合成する、
ことを特徴とする請求項１記載の受信装置。
【請求項３】
前記受信手段は複数のアンテナを介して信号の受信を行い、
前記調整手段は、
前記複数のマッチトフィルタの一のマッチトフィルタ、および、前記所定の最大値が所定の閾値以上のときに未使用状態になる他のマッチトフィルタが、前記複数のアンテナの一のアンテナの受信信号および他のアンテナの受信信号にそれぞれ割り当てられるように、個数の調整を行い、
前記作成手段は、
前記一のマッチトフィルタを用いて前記一のアンテナの受信信号の遅延プロファイルを作成するとともに、前記他のマッチトフィルタを用いて前記他のアンテナの受信信号の遅延プロファイルを作成し、当該作成された遅延プロファイルを合成する、
ことを特徴とする請求項１記載の受信装置。
【請求項４】
所定の最大値を有する可変のシンボルレートで伝送される信号を受信し、受信信号の遅延プロファイルを作成するために受信信号に割り当てられる複数のマッチトフィルタを有する受信装置における受信方法であって、
前記シンボルレートの前記所定の最大値に基づいて、受信信号に割り当てられるマッチトフィルタの個数を調整する調整ステップと、
調整後の個数のマッチトフィルタを用いて、受信信号の遅延プロファイルを作成する作成ステップと、
作成した遅延プロファイルに基づいて、受信信号のパスを検出する検出ステップと、
パス検出の結果に基づいて、受信信号を復調する復調ステップと、
を有することを特徴とする受信方法。
【発明の詳細な説明】
【０００１】
【発明の属する技術分野】
本発明は、スペクトル拡散を適用したＤＳ−ＣＤＭＡ方式の移動通信システムにおいて、複数の個別チャネルを同時に受信可能な受信装置および受信方法に関する。
【０００２】
【従来の技術】
従来、ＤＳ−ＣＤＭＡ（Ｄｉｒｅｃｔ  Ｓｐｒｅａｄ  −  Ｃｏｄｅ  Ｄｉｖｉｓｉｏｎ  Ｍｕｌｔｉｐｌｅ  Ａｃｃｅｓｓ）方式の移動通信システムにおける受信装置（例えば、基地局装置）では、拡散された信号を受信して、マッチトフィルタを用いて、既知の拡散符号のレプリカの位相を１チップずつずらしながら受信信号に複素乗算する演算を１シンボル区間にわたり行うことにより受信信号の遅延プロファイルを作成する（例えば、非特許文献１参照）。
【０００３】
この受信装置では、作成された遅延プロファイルに基づいて受信信号の１つ以上のパスを検出し、検出された各パスにおける受信信号に対して相関演算を行い、各相関演算結果をＲＡＫＥ合成することにより受信信号の復調結果を得るとともに、受信信号の受信品質（例えば、ＳＩＲ：Ｓｉｇｎａｌ  ｔｏ  Ｉｎｔｅｒｆｅｒｅｎｃｅ  Ｒａｔｉｏ）を測定し、測定された受信品質に基づいて、送信電力制御情報を生成する。
【０００４】
ＤＳ−ＣＤＭＡ方式の移動通信システムにおいて、例えば基地局装置は、一般に、複数の個別チャネル（例えば、ＤＰＣＨ：Ｄｅｄｉｃａｔｅｄ  Ｐｈｙｓｉｃａｌ  ＣＨａｎｎｅｌ）の信号を同時に受信可能な構成を有している。以下、従来の基地局装置について説明する。図９は、従来の基地局装置の構成の一例を示すブロック図である。
【０００５】
なお、便宜上、検出されるパスの数を１個とし同時受信可能な個別チャネルの数を２個として説明する。また、ここで受信されるＤＰＣＨの信号は、図１０に示すとおり、ＤＰＤＣＨ（Ｄｅｄｉｃａｔｅｄ  Ｐｈｙｓｉｃａｌ  Ｄａｔａ  ＣＨａｎｎｅｌ）およびＤＰＣＣＨ（Ｄｅｄｉｃａｔｅｄ  Ｐｈｙｓｉｃａｌ  Ｃｏｎｔｒｏｌ  ＣＨａｎｎｅｌ）が無線フレーム毎にＩ相およびＱ相にそれぞれマッピングされたものとして説明する。
【０００６】
図９に示す基地局装置１０では、無線部１１で、受信アンテナ１２を介して受信した二つのＤＰＣＨの受信信号をベースバンド帯域の受信信号に変換し、アナログデジタル変換部（Ａ／Ｄ部）１３で、ベースバンド帯域の受信信号をアナログデジタル変換しベースバンド受信信号を生成する。
【０００７】
そして、遅延プロファイル作成部１４で、マッチトフィルタ１５−１を用いて、一方のＤＰＣＨに対応する拡散符号のレプリカを、位相を１チップずつずらしながら１シンボル区間にわたりベースバンド受信信号に複素乗算するとともに、マッチトフィルタ１５−２を用いて、他方のＤＰＣＨに対応する拡散符号のレプリカを、位相を１チップずつずらしながら１シンボル区間にわたりベースバンド受信信号に複素乗算する。このようにして、ベースバンド受信信号の各ＤＰＣＨに対応する遅延プロファイルが作成される。
【０００８】
そして、パスサーチ部１６で、遅延プロファイルに基づいて、ＤＰＣＨ毎にパスサーチを行い、一方のＤＰＣＨのパス位相を相関演算部１７の相関器１８−１に、他方のＤＰＣＨのパス位相を相関演算部１７の相関器１８−２に、それぞれ通知する。そして、相関器１８−１で、一方のＤＰＣＨに関して、通知されたパス位相に基づいて相関演算を行い、ＤＰＣＣＨの相関結果を制御系復調部１９に、ＤＰＤＣＨの相関結果をデータ系復調部２０に、それぞれ出力する。また、相関器１８−２で、他方のＤＰＣＨに関して、通知されたパス位相に基づいて相関演算を行い、ＤＰＣＣＨの相関結果を制御系復調部１９に、ＤＰＤＣＨの相関結果をデータ系復調部２０に、それぞれ出力する。
【０００９】
そして、制御系復調部１９で、各ＤＰＣＨに関して、ＤＰＣＣＨの相関結果を復調し、ＤＰＣＣＨのパイロットシンボルを用いて、絶対位相を知るためのチャネル推定値とＤＰＣＨのシンボルレートを知るためのＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）復調結果とを生成し、データ系復調部２０に出力する。また、各ＤＰＣＨのＳＩＲを測定し、測定結果に基づいて、各ＤＰＣＨの送信電力制御情報を生成する。
【００１０】
そして、データ系復調部２０で、各ＤＰＣＨに関して、チャネル推定値およびＴＦＣＩ復調結果に基づいてＤＰＤＣＨの相関結果を復調する。このようにして、各ＤＰＣＨのデータ復調結果が得られる。
【００１１】
【非特許文献１】
「Ｗ−ＣＤＭＡ移動通信方式」第４刷、Ｐ５３−５７、Ｐ１０７、２００２年３月１５日
【００１２】
【発明が解決しようとする課題】
しかしながら、従来の受信装置においては、あるＤＰＣＨのシンボルレートが所定値より高い、つまり大量なデータの通信を必要とする高速パケット通信などを行う場合は、高速に復調処理を行わなければならない。
【００１３】
例えば、データ系復調部２０が、二つのＤＰＣＨにおいて最大で４８０ｋｓｐｓのデータ量を同時に復調することが可能な場合は、一方のＤＰＣＨにおいて最大で９６０ｋｓｐｓのデータ通信が行われるときに、当該一方のＤＰＣＨに対する復調処理しか行うことができなくなり、他方のＤＰＣＨに対する復調処理が行われなくなる。これに伴い、当該他方のＤＰＣＨに対応しているマッチトフィルタ１５−２が動作できなくなる、つまり未使用状態になるため、マッチトフィルタ１５−１、１５−２の利用効率の向上に一定の限界がある。
【００１４】
本発明は、かかる点に鑑みてなされたものであり、装置内に設けられたマッチトフィルタの利用効率を向上させることができる受信装置および受信方法を提供することを目的とする。
【００１５】
【課題を解決するための手段】
本発明の受信装置は、所定の最大値を有する可変のシンボルレートで伝送される信号を受信する受信手段と、受信信号の遅延プロファイルを作成するために受信信号に割り当てられる複数のマッチトフィルタと、前記シンボルレートの前記所定の最大値に基づいて、受信信号に割り当てられるマッチトフィルタの個数を調整する調整手段と、調整後の個数のマッチトフィルタを用いて、受信信号の遅延プロファイルを作成する作成手段と、作成された遅延プロファイルに基づいて、受信信号のパスを検出する検出手段と、パス検出の結果に基づいて、受信信号を復調する復調手段と、を有する構成を採る。
【００１６】
この構成によれば、受信信号のシンボルレートの所定の最大値に基づいて、受信信号の遅延プロファイルを作成するために受信信号に割り当てられるマッチトフィルタの個数を調整し、調整後の個数のマッチトフィルタを用いて、受信信号の遅延プロファイルを作成するため、例えば、シンボルレートの所定の最大値が所定の閾値以上のときに未使用状態になるマッチトフィルタを含む複数のマッチトフィルタを用いて、受信信号の遅延プロファイルを作成することができ、装置内に設けられたマッチトフィルタの利用効率を向上させることができる。
【００１７】
本発明の受信装置は、上記構成において、受信信号は所定数のサンプルを含む複数のサンプル信号を有し、前記調整手段は、前記複数のマッチトフィルタの一のマッチトフィルタ、および、前記所定の最大値が所定の閾値以上のときに未使用状態になる他のマッチトフィルタが、受信信号における複数のサンプル信号の一のサンプル信号および他のサンプル信号にそれぞれ割り当てられるように、個数の調整を行い、前記作成手段は、前記一のマッチトフィルタを用いて前記一のサンプル信号の遅延プロファイルを作成するとともに、前記他のマッチトフィルタを用いて前記他のサンプル信号の遅延プロファイルを作成し、当該作成された遅延プロファイルを合成する、構成を採る。
【００１８】
この構成によれば、複数のマッチトフィルタの一のマッチトフィルタ、および、シンボルレートの所定の最大値が所定の閾値以上のときに未使用状態になる他のマッチトフィルタを、所定数のサンプルを含む複数のサンプル信号の一のサンプル信号および他のサンプル信号にそれぞれ割り当て、割り当てられた一のマッチトフィルタおよび他のマッチトフィルタを用いて、受信信号の遅延プロファイルを作成するため、遅延プロファイルのオーバサンプル数を増加させることができ、オーバサンプル数が増加された遅延プロファイルに基づいてパス検出を行い、パス検出の精度を向上させることができ、その結果、高速のシンボルレートでデータ通信を行うときの受信品質の劣化を防止することができる。また、高速のシンボルレートでデータ通信を行うときに、信号を送信する送信装置で送信電力を増加させる必要がなくなり、他の送信装置に対する干渉を抑制することができ、収容チャネル数を確保することができる。
【００１９】
本発明の受信装置は、前記受信手段は複数のアンテナを介して信号の受信を行い、前記調整手段は、前記複数のマッチトフィルタの一のマッチトフィルタ、および、前記所定の最大値が所定の閾値以上のときに未使用状態になる他のマッチトフィルタが、前記複数のアンテナの一のアンテナの受信信号および他のアンテナの受信信号にそれぞれ割り当てられるように、個数の調整を行い、前記作成手段は、前記一のマッチトフィルタを用いて前記一のアンテナの受信信号の遅延プロファイルを作成するとともに、前記他のマッチトフィルタを用いて前記他のアンテナの受信信号の遅延プロファイルを作成し、当該作成された遅延プロファイルを合成する、構成を採る。
【００２０】
この構成によれば、複数のアンテナを介して信号を受信し、複数のマッチトフィルタの一のマッチトフィルタ、および、シンボルレートの所定の最大値が所定の閾値以上のときに未使用状態になる他のマッチトフィルタを、複数のアンテナの一のアンテナの受信信号および他のアンテナの受信信号にそれぞれ割り当て、割り当てられた一のマッチトフィルタおよび他のマッチトフィルタを用いて、受信信号の遅延プロファイルを作成するため、遅延プロファイルの受信アンテナ数を増加させることができ、受信アンテナ数が増加された遅延プロファイルに基づいてパス検出を行い、パス検出の精度を向上させることができ、その結果、高速のシンボルレートでデータ通信を行うときの受信品質の劣化を防止することができる。また、高速のシンボルレートでデータ通信を行うときに、信号を送信する送信装置で送信電力を増加させる必要がなくなり、他の送信装置に対する干渉を抑制することができ、収容チャネル数を確保することができる。
【００２１】
本発明の受信方法は、所定の最大値を有する可変のシンボルレートで伝送される信号を受信し、受信信号の遅延プロファイルを作成するために受信信号に割り当てられる複数のマッチトフィルタを有する受信装置における受信方法であって、前記シンボルレートの前記所定の最大値に基づいて、受信信号に割り当てられるマッチトフィルタの個数を調整する調整ステップと、調整後の個数のマッチトフィルタを用いて、受信信号の遅延プロファイルを作成する作成ステップと、作成した遅延プロファイルに基づいて、受信信号のパスを検出する検出ステップと、パス検出の結果に基づいて、受信信号を復調する復調ステップと、を有するようにした。
【００２２】
この方法によれば、受信信号のシンボルレートの所定の最大値に基づいて、受信信号の遅延プロファイルを作成するために受信信号に割り当てられるマッチトフィルタの個数を調整し、調整後の個数のマッチトフィルタを用いて、受信信号の遅延プロファイルを作成するため、例えば、シンボルレートの所定の最大値が所定の閾値以上のときに未使用状態になるマッチトフィルタを含む複数のマッチトフィルタを用いて、受信信号の遅延プロファイルを作成することができ、装置内に設けられたマッチトフィルタの利用効率を向上させることができる。
【００２３】
【発明の実施の形態】
本発明の骨子は、受信信号のシンボルレートの所定の最大値に基づいて、受信信号の遅延プロファイルを作成するために受信信号に割り当てられるマッチトフィルタの個数を調整し、調整後の個数のマッチトフィルタを用いて、受信信号の遅延プロファイルを作成することである。
【００２４】
以下、本発明の実施の形態について、図面を参照して詳細に説明する。
【００２５】
なお、以下全ての実施の形態では、本発明を複数のＤＰＣＨの信号を同時に受信可能な基地局装置に適用した場合について説明する。また、便宜上、基地局装置において同時受信可能なＤＰＣＨの最大数を二つとして説明するが、本発明を適用した基地局装置において同時受信可能なＤＰＣＨの最大数は二つに限定されない。
【００２６】
また、以下全ての実施の形態で説明する基地局装置では、図１０に示すフレーム構成を有する信号が受信されるものとして説明する。
【００２７】
（実施の形態１）
図１は、本発明の実施の形態１に係る基地局装置の構成を示すブロック図である。
【００２８】
図１に示す基地局装置１００は、受信アンテナ１０２、無線部１０４、Ａ／Ｄ部１０６、遅延プロファイル作成部１０８、パスサーチ部１１０、相関演算部１１２、ベースバンド制御部１１４、マッチトフィルタ（ＭＦ）制御部１１６、制御系復調部１１８、およびデータ系復調部１２０を有する。
【００２９】
また、遅延プロファイル作成部１０８は、二つのＭＦ１２２−１、１２２−２および遅延プロファイル合成部１２４を有する。また、相関演算部１１２は、二つの相関器１２６−１、１２６−２を有する。また、ＭＦ制御部１１６は、図２に示すとおり、ＭＦ割り当て部１２８および最大シンボルレート判定テーブル１３０を有する。
【００３０】
無線部１０４は、受信アンテナ１０２を介して受信された、一つ以上の移動局から送信され多重されたＤＰＣＨの信号をベースバンド帯域の信号にダウンコンバートする。
【００３１】
なお、本実施の形態では、最大で二つのＤＰＣＨの信号を受信することができる。以下、一方のＤＰＣＨを「ＤＰＣＨ＃１」と言い、他方のＤＰＣＨを「ＤＰＣＨ＃２」と言う。
【００３２】
Ａ／Ｄ部１０６は、ダウンコンバートされた信号をアナログデジタル変換する。これによって、ベースバンド受信信号が生成される。
【００３３】
ベースバンド制御部１１４は、ＤＰＣＨ＃１、＃２の受信／非受信および受信時のシンボルレートの所定の最大値である最大シンボルレートを予め認識している。
【００３４】
ＭＦ割り当て部１２８は、ベースバンド制御部１１４によって予め認識されている最大シンボルレートに関する情報を取得する。また、最大シンボルレート判定テーブル１３０を参照し、最大シンボルレートに基づいて、ＭＦ１２２−１、１２２−２の動作／非動作および動作時にどの信号に割り当てるかを示す割り当て情報を生成し、遅延プロファイル作成部１０８に出力する。なお、最大シンボルレート判定テーブル１３０の例は、図３に示すとおりである。
【００３５】
例えば、ＭＦ割り当て部１２８は、ＤＰＣＨ＃１、＃２の最大シンボルレートがともに所定値以下である（図３では、４８０ｋｓｐｓ以下である）場合は、ＭＦ１２２−１をＤＰＣＨ＃１のサンプル信号Ａに割り当て、ＭＦ１２２−２をＤＰＣＨ＃２のサンプル信号Ａに割り当てる。ここで、サンプル信号Ａは、ベースバンド受信信号において、所定のタイミングでサンプリングされた所定数のサンプルを含む信号である。
【００３６】
また、例えば、ＭＦ割り当て部１２８は、ＤＰＣＨ＃１の最大シンボルレートが所定値を上回る（図３では、９６０ｋｓｐｓである）場合は、ＭＦ１２２−１をＤＰＣＨ＃１のサンプル信号Ａに割り当てる。また、この場合、ＤＰＣＨ＃２の受信を行えなくなることにより未使用状態になるＭＦ１２２−２をＤＰＣＨ＃１のサンプル信号Ｂに割り当てる。ここで、サンプル信号Ｂは、ベースバンド受信信号において、サンプル信号Ａと異なる所定のタイミングでサンプリングされた所定数のサンプルを含む信号である。
【００３７】
また、例えば、ＭＦ割り当て部１２８は、ＤＰＣＨ＃２の最大シンボルレートが所定値を上回る（図３では、９６０ｋｓｐｓである）場合は、ＭＦ１２２−２をＤＰＣＨ＃２のサンプル信号Ａに割り当てる。また、この場合、ＤＰＣＨ＃１の受信を行えなくなることにより未使用状態になるＭＦ１２２−１をＤＰＣＨ＃２のサンプル信号Ｂに割り当てる。
【００３８】
遅延プロファイル作成部１０８は、ＭＦ割り当て部１２８からの割り当て情報に基づいて、ＭＦ１２２−１、１２２−２の少なくともいずれか一方を用いて、各ＤＰＣＨ＃１、＃２に対応する拡散符号のレプリカを、位相を１チップずつずらしながら１シンボル区間にわたりベースバンド受信信号に複素乗算し、ベースバンド受信信号の遅延プロファイルを作成する。
【００３９】
ＭＦ１２２−１、１２２−２の両方がＤＰＣＨ＃１（またはＤＰＣＨ＃２）に割り当てられた場合、遅延プロファイル作成部１０８は、ＭＦ１２２−１を用いて、ＤＰＣＨ＃１のサンプル信号Ａ（ＤＰＣＨ＃２の場合はサンプル信号Ｂ）の遅延プロファイルを作成し、ＭＦ１２２−２を用いて、ＤＰＣＨ＃１のサンプル信号Ｂ（ＤＰＣＨ＃２の場合はサンプル信号Ａ）の遅延プロファイルを作成する。そして、遅延プロファイル合成部１２４で、作成された遅延プロファイルを合成し、パスサーチ部１１０に出力する。
【００４０】
一方、ＭＦ１２２−１、１２２−２のいずれか一方がＤＰＣＨ＃１またはＤＰＣＨ＃２に割り当てられた場合、遅延プロファイル作成部１０８は、ＭＦ１２２−１を用いてＤＰＣＨ＃１のサンプル信号Ａの遅延プロファイルを作成し、または、ＭＦ１２２−２を用いてＤＰＣＨ＃２のサンプル信号Ａの遅延プロファイルを作成する。そして、作成された遅延プロファイルを合成せずにパスサーチ部１１０に出力する。
【００４１】
パスサーチ部１１０は、遅延プロファイル作成部１０８から入力された遅延プロファイルに基づいて、ベースバンド受信信号に対してパスサーチ、つまりパスの検出を行う。より具体的には、ＤＰＣＨ＃１に対応する遅延プロファイルに基づいて行われたパスサーチで検出されたパス位相を相関器１２６−１に通知する。また、ＤＰＣＨ＃２に対応する遅延プロファイルに基づいて行われたパスサーチで検出されたパスの位相を相関器１２６−２に通知する。
【００４２】
相関器１２６−１は、パスサーチ部１１０から通知されたパス位相に基づいて、ＤＰＣＨ＃１に対して相関演算を行うことにより、ＤＰＣＣＨの相関結果およびＤＰＤＣＨの相関結果を求める。求められたＤＰＣＣＨの相関結果は制御系復調部１１８に出力され、求められたＤＰＤＣＨの相関結果はデータ系復調部１２０に出力される。
【００４３】
相関器１２６−２は、パスサーチ部１１０から通知されたパス位相に基づいて、ＤＰＣＨ＃２に対して相関演算を行うことにより、ＤＰＣＣＨの相関結果およびＤＰＤＣＨの相関結果を求める。求められたＤＰＣＣＨの相関結果は制御系復調部１１８に出力され、求められたＤＰＤＣＨの相関結果はデータ系復調部１２０に出力される。
【００４４】
制御系復調部１１８は、相関器１２６−１から入力されたＤＰＣＣＨの相関結果を復調し、ＤＰＣＣＨのパイロット信号を用いて、ＤＰＣＨ＃１の絶対位相を知るためのチャネル推定値＃１とＤＰＣＨ＃１のシンボルレートを知るためのＴＦＣＩ復調結果＃１を求める。求められたチャネル推定値＃１およびＴＦＣＩ復調結果＃１は、データ系復調部１２０に出力される。また、制御系復調部１１８は、ＤＰＣＨ＃１のＳＩＲを測定し、測定結果に基づいてＤＰＣＨ＃１の送信電力制御情報を生成する。
【００４５】
また、制御系復調部１１８は、相関器１２６−２から入力されたＤＰＣＣＨの相関結果を復調し、ＤＰＣＣＨのパイロット信号を用いて、ＤＰＣＨ＃２の絶対位相を知るためのチャネル推定値＃２とＤＰＣＨ＃２のシンボルレートを知るためのＴＦＣＩ復調結果＃２を求める。求められたチャネル推定値＃２およびＴＦＣＩ復調結果＃２は、データ系復調部１２０に出力される。また、制御系復調部１１８は、ＤＰＣＨ＃２のＳＩＲを測定し、測定結果に基づいてＤＰＣＨ＃２の送信電力制御情報を生成する。
【００４６】
データ系復調部１２０は、制御系復調部１１８から入力されたチャネル推定値＃１およびＴＦＣＩ復調結果＃１に基づいて、相関器１２６−１から入力されたＤＰＤＣＨの相関結果を復調する。このようにして、ＤＰＣＨ＃１のデータ復調結果が得られる。
【００４７】
また、データ系復調部１２０は、制御系復調部１１８から入力されたチャネル推定値＃２およびＴＦＣＩ復調結果＃２に基づいて、相関器１２６−２から入力されたＤＰＤＣＨの相関結果を復調する。このようにして、ＤＰＣＨ＃２のデータ復調結果が得られる。
【００４８】
次いで、上記構成を有する基地局装置１００における遅延プロファイル作成部１０８の動作について説明する。図４は、本実施の形態に係る基地局装置１００における遅延プロファイル作成部１０８の動作の一例を説明するための図である。なお、ここでは、最大シンボルレート９６０ｋｓｐｓでＤＰＣＨ＃１を受信する場合について説明する。
【００４９】
この場合、ＭＦ割り当て部１２８では、最大シンボルレート判定テーブル１３０に基づいて、ＭＦ１２２−１をＤＰＣＨ＃１のサンプル信号Ａに、また、ＤＰＣＨ＃２の受信を行えなくなるため未使用状態になるＭＦ１２２−２をＤＰＣＨ＃１のサンプル信号Ｂに、それぞれ割り当てる割り当て情報を生成する。
【００５０】
そして、遅延プロファイル作成部１０８では、ＭＦ割り当て部１２８で生成した割り当て情報に基づいて、ＭＦ１２２−１を用いて、ＤＰＣＨ＃１のサンプル信号Ａの遅延プロファイルを作成する（図４の（Ａ）参照）。ここで、ＤＰＣＨ＃１のサンプル信号Ａは、Ｎ個のサンプルＡ１〜Ｎを有する。
【００５１】
また、遅延プロファイル作成部１０８では、ＭＦ割り当て部１２８で生成した割り当て情報に基づいて、未使用状態のＭＦ１２２−２を用いて、ＤＰＣＨ＃１のサンプル信号Ｂの遅延プロファイルを作成する（図４の（Ｂ）参照）。ここで、ＤＰＣＨ＃１のサンプル信号Ｂは、Ｎ個のサンプルＢ１〜Ｎを有する。
【００５２】
そして、遅延プロファイル作成部１０８では、遅延プロファイル合成部１２４で、生成された二つの遅延プロファイルを合成する（図４の（Ｃ））。
【００５３】
なお、本実施の形態では、図４の（Ｃ）に示すように、サンプルＡ１、サンプルＢ１、サンプルＡ２、サンプルＢ２、…、サンプルＡＮ−１、サンプルＢＮ−１、サンプルＡＮ、サンプルＢＮの順序で二つの遅延プロファイルが合成されるように、サンプル信号Ａの遅延プロファイルおよびサンプル信号Ｂの遅延プロファイルが、１サンプルずつ交互に作成されている。ただし、二つの遅延プロファイルの作成方法は、これに限定されない。例えば、サンプルＡ１、サンプルＡ２、…、サンプルＡＮ−１、サンプルＡＮ、サンプルＢ１、サンプルＢ２、…、サンプルＢＮ−１、サンプルＢＮの順序で二つの遅延プロファイルが合成されるように、サンプル信号Ａの遅延プロファイルが先に作成され、これに引き続いてサンプル信号Ｂの遅延プロファイルが作成されても良い。
【００５４】
このように、本実施の形態によれば、所定の閾値を上回る最大シンボルレートでＤＰＣＨ＃１を受信する場合、つまりＤＰＣＨ＃１において高速のデータ通信を行う場合において、二つのＭＦ１２２−１、１２２−２を、二つのサンプル信号Ａ、Ｂにそれぞれ割り当て、割り当てられた二つのＭＦ１２２−１、１２２−２を用いて、ＤＰＣＨ＃１の遅延プロファイルを作成するため、遅延プロファイルのオーバサンプル数を増加させることができ、パスサーチ部１１０で、オーバサンプル数が増加された遅延プロファイルに基づいてパス検出を行い、パス検出の精度を向上させることができ、その結果、高速のデータ通信を行うときに、信号を送信する移動局で送信電力を増加させる必要がなくなり、他の移動局に対する干渉を抑制することができ、収容可能なＤＰＣＨの数の減少を防止することができる。
【００５５】
（実施の形態２）
図５は、本発明の実施の形態２に係る基地局装置の構成を示すブロック図である。なお、本実施の形態に係る基地局装置は、実施の形態１において説明した基地局装置１００と同様の基本的構成を有しており、同一の構成要素には同一の参照符号を付し、その説明を省略する。
【００５６】
図５に示す基地局装置２００は、基地局装置１００における受信アンテナ１０２、無線部１０４、Ａ／Ｄ部１０６、遅延プロファイル作成部１０８、ＭＦ１２２−１、１２２−２、遅延プロファイル合成部１２４、およびＭＦ制御部１１６の代わりに、二つの受信アンテナ１０２ａ、１０２ｂ、二つの無線部１０４ａ、１０４ｂ、二つのＡ／Ｄ部１０６ａ、１０６ｂ、遅延プロファイル作成部２０２、二つの切り替え部２０３−１、２０３−２、二つのＭＦ２０４−１、２０４−２、遅延プロファイル合成部２０６、およびＭＦ制御部２０８を有する。
【００５７】
また、ＭＦ制御部２０８は、図６に示すとおり、ＭＦ割り当て部２１０および最大シンボルレート判定テーブル２１２を有する。
【００５８】
無線部１０４ａは、受信アンテナ１０２ａを介して受信された、一つ以上の移動局から送信され多重されたＤＰＣＨの信号をベースバンド帯域の信号にダウンコンバートする。また、無線部１０４ｂは、受信アンテナ１０２ｂを介して受信された、一つ以上の移動局から送信され多重されたＤＰＣＨの信号をベースバンド帯域の信号にダウンコンバートする。
【００５９】
なお、本実施の形態では、実施の形態１と同様に、最大で二つのＤＰＣＨの信号を受信することができる。以下、一方のＤＰＣＨを「ＤＰＣＨ＃１」と言い、他方のＤＰＣＨを「ＤＰＣＨ＃２」と言う。
【００６０】
Ａ／Ｄ部１０６ａは、無線部１０４ａによってダウンコンバートされた信号をアナログデジタル変換する。これによって、受信アンテナ１０２ａに対応するベースバンド受信信号Ａが生成される。また、Ａ／Ｄ部１０６ｂは、無線部１０４ｂによってダウンコンバートされた信号をアナログデジタル変換する。これによって、受信アンテナ１０２ｂに対応するベースバンド受信信号Ｂが生成される。
【００６１】
ＭＦ割り当て部２１０は、ベースバンド制御部１１４によって予め認識されている最大シンボルレートに関する情報を取得する。また、最大シンボルレート判定テーブル２１２を参照し、最大シンボルレートに基づいて、ＭＦ２０４−１、２０４−２の動作／非動作および動作時にどの信号に割り当てるかを示す割り当て情報を生成し、遅延プロファイル作成部２０２に出力する。なお、最大シンボルレート判定テーブル２１２の例は、図７に示すとおりである。
【００６２】
例えば、ＭＦ割り当て部２１０は、ＤＰＣＨ＃１、＃２の最大シンボルレートがともに所定値以下である（図７では、４８０ｋｓｐｓ以下である）場合は、ＭＦ２０４−１をＤＰＣＨ＃１のベースバンド受信信号Ａに割り当て、ＭＦ２０４−２をＤＰＣＨ＃２のベースバンド受信信号Ａに割り当てる。ここで、ベースバンド受信信号Ａは、所定のタイミングでサンプリングされたＭ個のサンプルを含む信号である。
【００６３】
また、例えば、ＭＦ割り当て部２１０は、ＤＰＣＨ＃１の最大シンボルレートが所定値を上回る（図７では、９６０ｋｓｐｓである）場合は、ＭＦ２０４−１をＤＰＣＨ＃１のベースバンド受信信号Ａに割り当てる。また、この場合、ＤＰＣＨ＃２の受信を行えなくなることにより未使用状態になるＭＦ２０４−２をＤＰＣＨ＃１のベースバンド受信信号Ｂに割り当てる。ここで、ベースバンド受信信号Ｂは、所定のタイミングでサンプリングされたＭ個のサンプルを含む信号である。
【００６４】
また、例えば、ＭＦ割り当て部２１０は、ＤＰＣＨ＃２の最大シンボルレートが所定値を上回る（図７では、９６０ｋｓｐｓである）場合は、ＭＦ２０４−２をＤＰＣＨ＃２のベースバンド受信信号Ａに割り当てる。また、この場合、ＤＰＣＨ＃１の受信を行えなくなることにより未使用状態になるＭＦ２０４−１をＤＰＣＨ＃２のベースバンド受信信号Ｂに割り当てる。
【００６５】
遅延プロファイル作成部２０２は、ＭＦ割り当て部２１０からの割り当て情報に基づいて、ＭＦ２０４−１、２０４−２の少なくともいずれか一方を用いて、各ＤＰＣＨ＃１、＃２に対応する拡散符号のレプリカを、位相を１チップずつずらしながら１シンボル区間にわたりベースバンド受信信号に複素乗算し、ベースバンド受信信号の遅延プロファイルを作成する。
【００６６】
ＭＦ２０４−１、２０４−２の両方がＤＰＣＨ＃１（またはＤＰＣＨ＃２）に割り当てられた場合、遅延プロファイル作成部２０２は、切り替え部２０３−１で、ベースバンド受信信号ＡがＭＦ２０４−１（ＤＰＣＨ＃２の場合はＭＦ２０４−２）に入力されるように切り替え、切り替え部２０３−２で、ベースバンド受信信号ＢがＭＦ２０４−２（ＤＰＣＨ＃２の場合はＭＦ２０４−１）に入力されるように切り替える。
【００６７】
この場合、遅延プロファイル作成部２０２は、ＭＦ２０４−１を用いて、ＤＰＣＨ＃１のベースバンド受信信号Ａ（ＤＰＣＨ＃２の場合はベースバンド受信信号Ｂ）の遅延プロファイルを作成し、ＭＦ２０４−２を用いて、ＤＰＣＨ＃１のベースバンド受信信号Ｂ（ＤＰＣＨ＃２の場合はベースバンド受信信号Ａ）の遅延プロファイルを作成する。そして、遅延プロファイル合成部２０６で、作成された遅延プロファイルを合成し、パスサーチ部１１０に出力する。
【００６８】
一方、ＭＦ２０４−１、２０４−２のいずれか一方がＤＰＣＨ＃１またはＤＰＣＨ＃２に割り当てられた場合、遅延プロファイル作成部２０２は、切り替え部２０３−１で、ベースバンド受信信号ＡがＭＦ２０４−１、２０４−２に入力されるように切り替え、切り替え部２０３−２で、ベースバンド受信信号ＢがＭＦ２０４−１、２０４−２に入力されないように切り替える。
【００６９】
この場合、遅延プロファイル作成部２０２は、ＭＦ２０４−１を用いて、ＤＰＣＨ＃１のベースバンド受信信号Ａの遅延プロファイルを作成し、または、ＭＦ２０４−２を用いて、ＤＰＣＨ＃２のベースバンド受信信号Ａの遅延プロファイルを作成する。そして、遅延プロファイル作成部２０２は、作成された遅延プロファイルを合成せずにパスサーチ部１１０に出力する。
【００７０】
次いで、上記構成を有する基地局装置２００における遅延プロファイル作成部２０２の動作について説明する。図８は、本実施の形態に係る基地局装置２００における遅延プロファイル作成部２０２の動作の一例を説明するための図である。なお、ここでは、最大シンボルレート９６０ｋｓｐｓでＤＰＣＨ＃１を受信する場合について説明する。
【００７１】
この場合、ＭＦ割り当て部２１０では、最大シンボルレート判定テーブル２１２に基づいて、ＭＦ２０４−１をＤＰＣＨ＃１のベースバンド受信信号Ａに、また、ＤＰＣＨ＃２の受信を行えなくなるため未使用状態になるＭＦ２０４−２をＤＰＣＨ＃１のベースバンド受信信号Ｂに、それぞれ割り当てる割り当て情報を生成する。
【００７２】
そして、遅延プロファイル作成部２０２では、ＭＦ割り当て部２１０で生成した割り当て情報に基づいて、ＭＦ２０４−１を用いて、ＤＰＣＨ＃１のベースバンド受信信号Ａの遅延プロファイルを作成する（図８の（Ａ）参照）。ここで、ＤＰＣＨ＃１のベースバンド受信信号Ａは、Ｍ個のサンプルＡ１〜Ｍを有する。
【００７３】
また、遅延プロファイル作成部２０２では、ＭＦ割り当て部２１０で生成した割り当て情報に基づいて、未使用状態のＭＦ２０４−２を用いて、ＤＰＣＨ＃１のベースバンド受信信号Ｂの遅延プロファイルを作成する（図８の（Ｂ）参照）。ここで、ＤＰＣＨ＃１のベースバンド受信信号Ｂは、Ｍ個のサンプルＢ１〜Ｍを有する。
【００７４】
そして、遅延プロファイル作成部２０２では、遅延プロファイル合成部２０６で、生成された二つの遅延プロファイルを合成する（図８の（Ｃ））。
【００７５】
このように、本実施の形態によれば、所定の閾値を上回る最大シンボルレートでＤＰＣＨ＃１を受信する場合、つまりＤＰＣＨ＃１において高速のデータ通信を行う場合において、二つのＭＦ２０４−１、２０４−２を、二つのベースバンド受信信号Ａ、Ｂにそれぞれ割り当て、割り当てられた二つのＭＦ２０４−１、２０４−２を用いて、ＤＰＣＨ＃１の遅延プロファイルを作成するため、遅延プロファイルの受信アンテナ数を増加させることができ、パスサーチ部１１０で、受信アンテナ数が増加された遅延プロファイルに基づいてパス検出を行い、パス検出の精度を向上させることができ、その結果、高速のデータ通信を行うときに、信号を送信する移動局で送信電力を増加させる必要がなくなり、他の移動局に対する干渉を抑制することができ、収容チャネル（ＤＰＣＨ）数を確保することができる。
【００７６】
【発明の効果】
以上説明したように、本発明によれば、装置内に設けられたマッチトフィルタの利用効率を向上させることができる。
【図面の簡単な説明】
【図１】本発明の実施の形態１に係る基地局装置の構成を示すブロック図
【図２】本発明の実施の形態１に係る基地局装置のマッチトフィルタ制御部の構成を示すブロック図
【図３】本発明の実施の形態１に係る基地局装置の最大シンボルレート判定テーブルの一例を示す図
【図４】本発明の実施の形態１に係る基地局装置における遅延プロファイル作成部の動作を説明するための図
【図５】本発明の実施の形態２に係る基地局装置の構成を示すブロック図
【図６】本発明の実施の形態２に係る基地局装置のマッチトフィルタ制御部の構成を示すブロック図
【図７】本発明の実施の形態２に係る基地局装置の最大シンボルレート判定テーブルの一例を示す図
【図８】本発明の実施の形態２に係る基地局装置における遅延プロファイル作成部の動作を説明するための図
【図９】従来の基地局装置の構成の一例を示す図
【図１０】従来の基地局装置にて受信されるＤＰＣＨの信号のフレーム構成を説明するための図
【符号の説明】
１００、２００  基地局装置
１０２、１０２ａ、１０２ｂ  受信アンテナ
１０４、１０４ａ、１０４ｂ  無線部
１０６、１０６ａ、１０６ｂ  アナログデジタル変換部
１０８、２０２  遅延プロファイル作成部
１１０  パスサーチ部
１１２  相関演算部
１１４  ベースバンド制御部
１１６、２０８  マッチトフィルタ制御部
１１８  制御系復調部
１２０  データ系復調部
１２２−１、１２２−２、２０４−１、２０４−２  マッチトフィルタ
１２４、２０６  遅延プロファイル合成部
１２６−１、１２６−２  相関器
１２８、２１０  マッチトフィルタ割り当て部
１３０、２１２  最大シンボルレート判定テーブル
２０３−１、２０３−２  切り替え部
【図１】
2005006117.tif 000003
【図２】
2005006117.tif 000004
【図３】
2005006117.tif 000005
【図４】
2005006117.tif 000006
【図５】
2005006117.tif 000007
【図６】
2005006117.tif 000008
【図７】
2005006117.tif 000009
【図８】
2005006117.tif 000010
【図９】
2005006117.tif 000011
【図１０】
2005006117.tif 000012